(57)【要約】【課題】従来のやり方による場合、保護キャップ２９は単にロックボルト２３の上からかぶせているにすぎない。このため、上方に舗装をする際に横向きの力が加わると、所定の位置から外れロックボルト２３の保護ができなくなることがある。本発明が解決しようとする課題は、舗装作業をする際にも保護キャップ２９がずれることのない保護キャップ装置を提供する点にある。【解決手段】ロックボルト２３の外周にねじ込む雌ねじを内周に切った円筒状のロック金具２６をロックボルト２３にねじ込む。ロック金具２６の外周には上端からＬ字形の溝３４を設けている。保護キャップ２９の内面にピン３２を設けている。防護キャップ２９をかぶせピン３２を溝３４にはめて押し込み、防護キャップ２９を回すと防護キャップ２９が外れなくな。【選択図】図３
2005351062.tif 000002
【特許請求の範囲】
【請求項１】
下方に配置した側壁（２０）から蓋受枠（２１）の穴（２２）を貫通して上方へ伸びるロックボルト（２３）を通す穴を中央にあけて逆Ｌ字形のロック片（３０）を上面に設け、ロックボルト（２３）の外周であって蓋受枠（２１）上に配置して使用するようにしたロック金具（２６）と、ロックボルト（２３）の上方から蓋受枠（２１）上に配置したロック金具（２６）へとかぶせることのできる円筒状として上方をふさいだ形状とし、ロック金具（２６）へとかぶせて回したときにロック金具（２６）のロック片（３０）にはまる位置にピン（３２）を設けた保護キャップ（２９）とを備えた、マンホールの蓋受枠固定用ロックボルト保護キャップ装置。
【請求項２】
ロック片（３０）の先端付近の下方位置においてロック金具（２６）の上面に突起（３１）を設けたことを特徴とする、請求項１記載のマンホールの蓋受枠固定用ロックボルト保護キャップ装置。
【請求項３】
下方に配置した側壁（２０）から蓋受枠（２１）の穴（２２）を貫通して上方へ伸びるロックボルト（２３）に上方からねじ込むことのできる雌ねじを内周に切った円筒状のものとしてＬ字形の溝（３４）を外周の上端から設けたロック金具（２６）と、ロックボルト（２３）の上方からロック金具（２６）へとかぶせることのできる円筒状として上方をふさいだ形状とし、ロック金具（２６）へとかぶせていくときロック金具（２６）の溝（３４）にはまる位置にピン（３２）を設けた保護キャップ（２９）とを備えた、マンホールの蓋受枠固定用ロックボルト保護キャップ装置。
【発明の詳細な説明】
【技術分野】
【０００１】  本発明は、マンホールの蓋受枠を固定するために使用するロックボルトを保護する保護キャップ装置に関するものである。
【背景技術】
【０００２】  マンホールの蓋受枠の固定装置としては、例えば図５・図６・図７に示すものが市販され、広く普及している（特許文献１参照）。図５・６・７に示すものを説明する。図５において、１はリング状の蓋受枠を示している。１２０度の間隔をあけた３箇所の位置で蓋受枠１を固定しているが、固定部分の詳細を図６に基づいて説明する。蓋受枠１は垂直部２と水平部３からなる断面Ｌ字形のものとしている。水平部３には細長い穴４をあけている。蓋受枠１の下方には側壁５を配置している。穴４の下方位置において側壁５にロックボルト６を垂直上方へと取り付けている。ロックボルト６にねじ込むナット７、座金８及びゴムプレート９を用意している。蓋受枠１の上方位置においてロックボルト６に取り付ける角座金１０、回り止め座金１１及びナット１２を用意している。角座金１０の上面には一方向へ盛り上がる突起の多数を中央を中心として円形に配置し、回り止め座金１１の外周には角座金１０の突起に引っ掛るぎざぎざを設けている。【０００３】  以上のものは次のようにして組み立てる。ロックボルト６にナット７をねじ込み座金８及びゴムプレート９をはめる。つぎに、蓋受枠１の穴４にロックボルト６を通しながらゴムプレート９上に蓋受枠１を載せる。このとき蓋受枠１の高さ調節はナット７のねじ込み量を調節することで行う。そして、ロックボルト６の上方から角座金１０及び回り止め座金１１をはめナット１２をねじ込んで固定する。回り止め座金１１にはナット１２がちょうどはまる二つの突条を上方へ向けて設けており、ナット１２をねじ込む際にナット１２を両突条間にはめることでナット１２と回り止め座金１１とは一体となって回るようになる。ナット１２をしっかりねじ込むと、回り止め座金１１のぎざぎざが角座金１０の突起に引っ掛ることで緩むことを防いでくれる。この状態で蓋受枠１と側壁５との間の外周及び内周に枠を張った後、中に高流動性無収縮モルタル１３を流し込んで固化させると図７に示す状態になる。【０００４】  以上が特許文献１に記載された内容である。それを基礎として製品化されたものでは図７に示すようにロックボルト６の上方から、上方をふさいだ円筒状のものとした保護キャップ１４をかぶせている。保護キャップ１４をかぶせてから蓋受枠１の上端と面一になるように上方に舗装をすれば工事が完成する。【０００５】
【特許文献１】      登録実用新案第２５２９８２２号公報
【発明の開示】
【発明が解決しようとする課題】
【０００６】  前記従来のものは、次のような欠点を持っている。すなわち、保護キャップ１４は単にロックボルト６の上からかぶせているにすぎない。このため、上方に舗装作業をする際に横向きの力が加わると、所定の位置から外れロックボルト６の保護ができなくなることがある。【０００７】  本発明が解決しようとする課題は、舗装作業をする際にも保護キャップが動くことのない保護キャップ装置を提供する点にある。
【課題を解決するための手段】
【０００８】  請求項１に係るマンホールの蓋受枠固定用ロックボルト保護キャップ装置は、下方に配置した側壁２０から蓋受枠２１の穴２２を貫通して上方へ伸びるロックボルト２３を通す穴を中央にあけて逆Ｌ字形のロック片３０を上面に設け、ロックボルト２３の外周であって蓋受枠２１上に配置して使用するようにしたロック金具２６と、ロックボルト２３の上方から蓋受枠２１上に配置したロック金具２６へとかぶせることのできる円筒状として上方をふさいだ形状とし、ロック金具２６へとかぶせて回したときにロック金具２６のロック片３０にはまる位置にピン３２を設けた保護キャップ２９とを備えたものである。ロックボルト２３を利用して蓋受枠２１を所定高さに調整した後、ロックボルト２３の上方からロック金具２６をはめ、保護キャップ２９をかぶせて回すと保護キャップ２９のピン３２がロック金具２６のロック片３０にはまって保護キャップ２９がロックされる。その上から舗装をしても保護キャップ２９は簡単に位置をずらすようなことはない。【０００９】  請求項２に係るものは、請求項１記載のものにおいて、ロック片３０の先端付近の下方位置においてロック金具２６の上面に突起３１を設けたことを特徴とするものである。保護キャップ２９をかぶせて回すとき保護キャップ２９のピン３２がロック金具２６の突起３１を乗り越えてロック片３０内にはまる。ピン３２がいったんロック片３０内にはまると突起３１に引っ掛って外れなくなる。このため、保護キャップ２９はいよいよずれにくくなる。【００１０】  請求項３に係るものは、下方に配置した側壁２０から蓋受枠２１の穴２２を貫通して上方へ伸びるロックボルト２３に上方からねじ込むことのできる雌ねじを内周に切った円筒状のものとしてＬ字形の溝３４を外周の上端から設けたロック金具２６と、ロックボルト２３の上方からロック金具２６へとかぶせることのできる円筒状として上方をふさいだ形状とし、ロック金具２６へとかぶせていくときロック金具２６の溝３４にはまる位置にピン３２を設けた保護キャップ２９とを備えたものである。ロックボルト２３の上方からロック金具２６をねじ込み、保護キャップ２９のピン３２をロック金具２６の溝３４にはめながら保護キャップ２９をかぶせて押し込み回すと、保護キャップ２９がロックされる。
【発明の効果】
【００１１】  本発明に係るマンホールの蓋受枠固定用ロックボルト保護キャップ装置を使用するときは、ロックボルト２３の上からかぶせて取り付けた保護キャップ２９が舗装作業中に位置をずらすことはない。
【発明を実施するための最良の形態】
【００１２】  本発明を実施するための最良の形態を図１及び図２に基づいて説明する。図１は一部切欠き分解斜視図、図２は図１に示したものの組立図である。２０は側壁を示し、２１は蓋受枠を示している。蓋受枠２１には細長い穴２２をあけている。側壁２０から垂直上方へとロックボルト２３を設けている。ロックボルト２３にねじ込むナット２４、座金２５、ロック金具２６、スプリング座金２７、ナット２８及び防護キャップ２９を用意している。ロック金具２６はロックボルト２３を通す穴を中央にあけた円板状のものとし、外周の対向位置２箇所において逆Ｌ字形のロック片３０を垂直上方へ設けている。そして、ロック片３０の先端の下方位置において突起３１を設けている。防護キャップ２９は円筒状として上方をふさいだ形状のものとし、ロック金具２６の外周にちょうどはまる大きさのものとしている。そして、内周下方の対向位置２箇所にロック金具２６のロック片３０内にはまるピン３２を設けている。【００１３】  図１に示したものは次のように組み立てる。まず、ロックボルト２３にナット２４をねじ込みナット２４を所定高さに位置させて座金２５をはめた後、蓋受枠２１の穴２２にロックボルト２３を通した状態にして蓋受枠２１を配置する。つぎに、ロックボルト２３にロック金具２６及びスプリング座金２７をはめた後にナット２８をねじ込んで締め付けると、蓋受枠２１の取り付けが完了する。最後に、防護キャップ２９をかぶせて回すと、防護キャップ２９のピン３２がロック金具２６の突起３１を乗り越えロック片３０内にはまって図２に示す状態になる。防護キャップ２９を逆方向に回そうとしてもピン３２が突起３１に引っ掛り、防護キャップ２９は簡単には外れない。そして、蓋受枠２１と側壁２０との間に高流動性無収縮モルタル３３を流し込んで固化させると作業が完了し、図２に示す状態になる。
【実施例１】
【００１４】  図１・２に示したものでは防護キャップ２９がやや大きなものとなる。大きな防護キャップ２９を使用しにくい狭い箇所では、実施例１のようにするとよい。実施例１を図３及び図４に基づいて説明する。蓋受枠２１に通したロックボルト２３の上方からスプリング座金２７をはめてナット２８をねじ込む。そして、ロックボルト２３の外周にねじ込む雌ねじを内周に切った円筒状のロック金具２６をロックボルト２３にねじ込む。ロック金具２６の外周には上端からＬ字形の溝３４を設けている。防護キャップ２９をかぶせピン３２を溝３４にはめて押し込み、防護キャップ２９を回すと防護キャップ２９が外れなくなり取付けが完了する。蓋受枠２１と側壁２０との間に高流動性無収縮モルタル３３を流し込み固化させると、図４に示す状態になる。
【図面の簡単な説明】
【００１５】
【図１】本発明を実施するための最良の形態を示す一部切欠き分解斜視図である。
【図２】図１に示したものを組み立てた状態を示す断面図である。
【図３】実施例１を示す一部切欠き斜視図である。
【図４】図３に示したものを組み立てた状態を示す断面図である。
【図５】従来例を示す平面図である。
【図６】従来例を示す分解斜視図である。
【図７】図６に示したものを組み立てた状態を示す断面図である。
【符号の説明】
【００１６】  ２０  側壁
２１  蓋受枠
２２  穴
２３  ロックボルト
２６  ロック金具
２９  防護キャップ
３０  ロック片
３１  突起
３２  ピン
３４  ３４
【図１】
2005351062.tif 000003
【図２】
2005351062.tif 000004
【図３】
2005351062.tif 000005
【図４】
2005351062.tif 000006
【図５】
2005351062.tif 000007
【図６】
2005351062.tif 000008
【図７】
2005351062.tif 000009